(57)【特許請求の範囲】
【請求項１】
回転ドラムと、この回転ドラム上に所定間隔で離間配置された複数の回転ヘッドと、コントロールヘッドとを有し、前記回転ヘッドで磁気テープに複数のヘリカルトラックを形成するとともに、形成した各ヘリカルトラックそれぞれにデータを記録し、前記コントロールヘッドで磁気テープにコントロールトラックを形成するとともに、形成したコントロールトラックにトラッキング制御用のコントロール信号を記録する磁気記録再生装置であって、
サブコードサーチ情報検出部と、コントロールサーチ情報検出部と、サーチ制御部とを有し、
前記各ヘリカルトラックそれぞれに少なくとも２つの第１のデータ領域と第２のデータ領域とに加えてサブコード領域が設定されたうえで、前記第１のデータ領域に第１のデータが、前記第２のデータ領域に第２のデータが、前記サブコード領域に前記第１のデータをサーチするための第１のサーチ情報がそれぞれ記録されており、前記コントロールトラックに、前記第２のデータをサーチするための第２のサーチ情報が記録されている磁気テープに対して、
前記第１のデータ領域に記録されている前記第１のデータをサーチするときは、前記回転ヘッドが前記サブコード領域をスキャンしてこのサブコード領域に記録されているデータを獲得し、この獲得したデータから前記サブコードサーチ情報検出部が前記第１のサーチ情報を検出し、この検出した第１のサーチ情報をもとに前記サーチ制御部が前記磁気テープの位置をサーチし、
前記第２のデータ領域に記録されている第２のデータをサーチするときは、前記コントロールヘッドが前記コントロールトラックをスキャンしてコントロールトラックに記録されているデータを獲得し、この獲得したデータから前記コントロールサーチ情報検出部が前記第２のサーチ情報を検出し、この検出した第２のサーチ情報をもとに前記サーチ制御部が前記磁気テープの位置をサーチする、
ことを特徴とする磁気記録再生装置。
【請求項２】
回転ドラムと、この回転ドラム上に互いに所定間隔で離間配置された複数の回転ヘッドとを有し、前記回転ヘッドで磁気テープに複数のヘリカルトラックを形成するとともに、形成した各ヘリカルトラックそれぞれにデータを記録する磁気記録再生装置であって、
サブコードサーチ情報検出部と、サーチ制御部とを有し、
前記複数のヘリカルトラックのそれぞれのヘリカルトラックに、Ｎ個（Ｎは２以上の整数）のデータ領域と１つのサブコード領域とが設定されたうえで、
前記Ｎ個のデータ領域のそれぞれのデータ領域にデータが個別的に記録されており、
前記複数のヘリカルトラックのそれぞれのヘリカルトラックに設けられた前記一つのサブコード領域には、前記Ｎ個のデータ領域の内の一つのデータ領域のデータをサーチするためのサーチ情報が個別的に記録され、前記Ｎ個のデータ領域に対応する前記サーチ情報は、連続するＮ本の前記ヘリカルトラックの前記サブコード領域にＮ本のヘリカルトラック毎に循環的に記録されている磁気テープに対して、
前記回転ヘッドは、前記サブコード領域に対するスキャンに対応したサブコード領域に記録されているデータを獲得し、前記サブコードサーチ情報検出部は、前記回転ヘッドが獲得したデータからサーチ情報を検出し、前記サーチ制御部は、前記サブコードサーチ情報検出部が検出した前記サーチ情報をもとに磁気テープの位置をサーチする、
ことを特徴とする磁気記録再生装置。
【請求項３】
請求項２記載の磁気記録再生装置において、
前記サーチ制御部は、サーチ速度を、前記複数のヘリカルトラックのそれぞれのヘリカルトラックに設定された前記データ領域の数の倍数を除く奇数倍速となるように制御し、このサーチ速度の条件下で前記回転ヘッドは、前記サブコード領域に対するスキャンに対応した前記サブコード領域に記録されているデータを獲得し、前記サブコードサーチ情報検出部は、前記回転ヘッドが獲得したデータからサーチ情報を検出し、前記サーチ制御部は、前記サブコードサーチ情報検出部が検出した前記サーチ情報をもとに磁気テープの位置をサーチする、
ことを特徴とする磁気記録再生装置。
【発明の詳細な説明】
【０００１】
【発明の属する技術分野】
本発明は、磁気テープにヘリカルスキャン方式で信号を記録再生するビデオテープレコーダ（ＶＴＲ）やデータレコーダ等の磁気記録再生方式に係り、特には、磁気テープの所望の位置を検索・頭出しするサーチ機能の改良に関するものである。
【０００２】
【従来の技術】
近年、磁気テープにヘリカルスキャン方式で信号を記録する磁気記録再生方式は、ＶＴＲやデータレコーダ等に広く利用されている。これらの磁気記録再生方式の多くのものには、磁気テープの所望の位置を検索・頭出しするサーチ機能が搭載されている。
【０００３】
以下に、従来の技術に係る磁気記録再生方式におけるサーチ機能の一例について説明する。
【０００４】
図７は従来の技術に係る磁気記録再生方式の構成を概略的に示す概略構成図である。図７において、３１は回転ドラムで、３２は回転ドラム３１に１８０°対向で搭載された回転ヘッドである。３３は磁気テープで、回転ドラム３１に斜めに巻回されている。３４は磁気テープ３３を走行させるためのキャプスタンモータ、３５はピンチローラである。３６はサブコードサーチ情報検出部、３７はサーチ制御部、３８はキャプスタンモータ３４を駆動するキャプスタンドライブである。
【０００５】
図８は従来の技術に係る磁気記録再生方式における磁気テープの記録パターンを示す模式図である。図８において、３３は磁気テープ、３９は回転ヘッド３２によって磁気テープ３３上に記録されたヘリカルトラックである。４０はサーチに必要な情報（サーチ情報）が記録されたサブコード領域、４１は通常の記録データ（例えば、映像データ等）が記録されたデータ領域である。４２はサーチ時の回転ヘッド３２のスキャン軌跡である。
【０００６】
以上のように構成された従来の技術に係る磁気記録再生方式におけるサーチ動作について、以下に説明する。
【０００７】
サーチ時には、回転ヘッド３２が所望のサブコード領域４０をスキャンするように、磁気テープ３３の走行を制御する。そして、サブコードサーチ情報検出部３６でサブコード領域４０に記録されたサーチ情報を検出する。サブコード領域４０に記録されているサーチ情報の内容は、日付情報（記録時の年、月、日、曜日、記録時の時間等）、時間情報（テープ始端からの時間、プログラム始端からの時間等）、プログラム情報（記録ソース、記録チャンネル番号、プログラム番号、プログラムの記録時間等）、インデックス情報（インデックス番号、インデックスからの記録時間等）、文字情報等である。このようなサーチ情報をもとにサーチ制御部３７はキャプスタンドライブ３８を介してキャプスタンモータ３４の回転速度・方向を制御し、磁気テープ３３の所望の位置をサーチする。
【０００８】
【発明が解決しようとする課題】
上記した従来の技術に係る磁気記録再生方式においては、データ領域に記録されたデータが１種類だけであるため、１種類のサブコード領域だけで問題はなかった。
【０００９】
しかしながら、データ領域に記録されるデータが複数種類になった場合に、各データを独立にサーチしようとすると、各データ毎にサーチ情報が必要になるために１つのトラックにおけるサブコード領域の容量が増加してしまい、その分、データ領域の記録容量が少なくなるという問題が生じる。
【００１０】
本発明は、１本のヘリカルトラックに複数種類のデータを記録した場合であっても、サブコード領域の容量を増やすことなく、各データのサーチを可能にすることを目的とする。
【００１１】
【課題を解決するための手段】
本発明に係る磁気記録再生装置は、１本のヘリカルトラックに複数種類のデータを記録する場合において、複数のデータのサーチ情報のうち少なくとも１つのサーチ情報をコントロールトラックに記録するか、テープ長手方向で連続した複数のヘリカルトラックのそれぞれにサブコード領域を設けて各データのサーチ情報を各サブコード領域に個別的に記録するか、あるいはこの両者を併用することにより、１本のヘリカルトラックに複数種類のデータを記録した場合であっても、サブコード領域の容量を増やすことなく、各データのサーチを可能にする。
本発明に係る請求項１の磁気記録再生装置は、回転ドラムと、この回転ドラム上に所定間隔で離間配置された複数の回転ヘッドと、コントロールヘッドとを有し、前記回転ヘッドで磁気テープに複数のヘリカルトラックを形成するとともに、形成した各ヘリカルトラックそれぞれにデータを記録し、前記コントロールヘッドで磁気テープにコントロールトラックを形成するとともに、形成したコントロールトラックにトラッキング制御用のコントロール信号を記録する磁気記録再生装置であって、サブコードサーチ情報検出部と、コントロールサーチ情報検出部と、サーチ制御部とを有し、前記各ヘリカルトラックそれぞれに少なくとも２つの第１のデータ領域と第２のデータ領域とに加えてサブコード領域が設定されたうえで、前記第１のデータ領域に第１のデータが、前記第２のデータ領域に第２のデータが、前記サブコード領域に前記第１のデータをサーチするための第１のサーチ情報がそれぞれ記録されており、前記コントロールトラックに、前記第２のデータをサーチするための第２のサーチ情報が記録されている磁気テープに対して、前記第１のデータ領域に記録されている前記第１のデータをサーチするときは、前記回転ヘッドが前記サブコード領域をスキャンしてこのサブコード領域に記録されているデータを獲得し、この獲得したデータから前記サブコードサーチ情報検出部が前記第１のサーチ情報を検出し、この検出した第１のサーチ情報をもとに前記サーチ制御部が前記磁気テープの位置をサーチし、前記第２のデータ領域に記録されている第２のデータをサーチするときは、前記コントロールヘッドが前記コントロールトラックをスキャンしてコントロールトラックに記録されているデータを獲得し、この獲得したデータから前記コントロールサーチ情報検出部が前記第２のサーチ情報を検出し、この検出した第２のサーチ情報をもとに前記サーチ制御部が前記磁気テープの位置をサーチすることを特徴としている。
本発明に係る請求項２の磁気記録再生装置は、回転ドラムと、この回転ドラム上に互いに所定間隔で離間配置された複数の回転ヘッドとを有し、前記回転ヘッドで磁気テープに複数のヘリカルトラックを形成するとともに、形成した各ヘリカルトラックそれぞれにデータを記録する磁気記録再生装置であって、サブコードサーチ情報検出部と、サーチ制御部とを有し、前記複数のヘリカルトラックのそれぞれのヘリカルトラックに、Ｎ個（Ｎは２以上の整数）のデータ領域と１つのサブコード領域とが設定されたうえで、前記Ｎ個のデータ領域のそれぞれのデータ領域にデータが個別的に記録されており、前記複数のヘリカルトラックのそれぞれのヘリカルトラックに設けられた前記一つのサブコード領域には、前記Ｎ個のデータ領域の内の一つのデータ領域のデータをサーチするためのサーチ情報が個別的に記録され、前記Ｎ個のデータ領域に対応する前記サーチ情報は、連続するＮ本の前記ヘリカルトラックの前記サブコード領域にＮ本のヘリカルトラック毎に循環的に記録されている磁気テープに対して、前記回転ヘッドは、前記サブコード領域に対するスキャンに対応したサブコード領域に記録されているデータを獲得し、前記サブコードサーチ情報検出部は、前記回転ヘッドが獲得したデータからサーチ情報を検出し、前記サーチ制御部は、前記サブコードサーチ情報検出部が検出した前記サーチ情報をもとに磁気テープの位置をサーチすることを特徴としている。
本発明に係る請求項３の磁気記録再生装置は、請求項２記載の磁気記録再生装置において、前記サーチ制御部は、サーチ速度を、前記複数のヘリカルトラックのそれぞれのヘリカルトラックに設定された前記データ領域の数の倍数を除く奇数倍速となるように制御し、このサーチ速度の条件下で前記回転ヘッドは、前記サブコード領域に対するスキャンに対応した前記サブコード領域に記録されているデータを獲得し、前記サブコードサーチ情報検出部は、前記回転ヘッドが獲得したデータからサーチ情報を検出し、前記サーチ制御部は、前記サブコードサーチ情報検出部が検出した前記サーチ情報をもとに磁気テープの位置をサーチする、
ことを特徴としている。
【００２３】
以下、本発明に係る磁気記録再生方式の実施の形態について、図面に基づいて詳細に説明する。
【００２４】
〔実施の形態１〕
図１は本発明の実施の形態１に係る磁気記録再生方式の構成を概略的に示す概略構成図である。図１において、１は回転ドラム、２は回転ドラム１に１８０゜対向で搭載された回転ヘッドである。３は磁気テープで、回転ドラム１に斜めに卷回されている。４はトラッキング制御信号を記録再生するコントロールヘッドである。５は磁気テープ３を走行させるためのキャプスタンモータ、６はピンチローラである。７はサブコードサーチ情報検出部、８はコントロールサーチ情報検出部、９はサーチ制御部である。１０はキャプスタンモータ５を駆動するキャプスタンドライブである。
【００２５】
図２は本発明の実施の形態１に係る磁気記録再生方式における磁気テープの記録パターンを示す模式図である。図２において、３は磁気テープ、１１はヘリカルトラック、１２はサブコード領域である。サブコード領域１２には時間情報やプログラム情報等のサーチに必要な情報であるサーチ情報が記録されている。１３は第１のデータ領域、１４は第２のデータ領域である。１５はトラッキング制御信号が記録されたコントロールトラックである。１６はサーチ時の回転ヘッド２のスキャン軌跡である。
【００２６】
以上のように構成された実施の形態１に係る磁気記録再生方式のサーチ動作について、以下に説明する。
【００２７】
通常のデータ（例えば、映像信号等）は回転ヘッド２を用いてヘリカルトラック１１の第１のデータ領域１３および第２のデータ領域１４に記録される。いま、第１のデータ領域１３にはデータＡが、第２のデータ領域１４にはデータＢがそれぞれ記録されているとする。コントロールトラック１５には、トラッキング制御用のコントロール信号がコントロールヘッド４によって記録されている。
【００２８】
ヘリカルトラック１１の一部にはサブコード領域１２が設けてあり、サブコード領域１２には第１のデータ領域１３に記録されたデータＡに関する時間情報やプログラム情報等の第１のサーチ情報Ａs が記録されている。サブコード領域１２に記録されている第１のサーチ情報Ａs の内容は、日付情報（記録時の年、月、日、曜日、記録時の時間等）、時間情報（テープ始端からの時間、プログラム始端からの時間等）、プログラム情報（記録ソース、記録チャンネル番号、プログラム番号、プログラムの記録時間等）、インデックス情報（インデックス番号、インデックスからの記録時間等）、文字情報等であり、これらのデータはそれぞれ単独で書き換えることが可能である。一方、コントロールトラック１５には、第２のデータ領域１４に記録されたデータＢに関する第２のサーチ情報（Ｂs）が記録されている。
【００２９】
第１のデータ領域１３のデータＡをサーチする場合には、サブコード領域１２を回転ヘッド２がスキャンしてサブコード領域１２のデータを獲得し、サブコードサーチ情報検出部７で第１のサーチ情報Ａｓを検出する。第１のサーチ情報Ａｓをもとにサーチ制御部９はキャプスタンドライブ１０を介してキャプスタンモータ５の回転速度・方向を制御し、磁気テープ３の所望の位置をサーチする。ここで、サブコード領域１２に記録される第１のサーチ情報Ａｓは、第１のデータ領域１３に記録されたデータＡに関するものだけであるので、サブコード領域１２の大きさは従来の技術の場合と同じであり、容量が増加することはない。
【００３０】
一方、第２のデータ領域１４のデータＢをサーチする場合には、コントロールトラック１５をコントロールヘッド４がスキャンしてコントロールトラック１５のデータを獲得し、コントロールサーチ情報検出部８は再生コントロール信号からデータＢに関する第２のサーチ情報（Ｂs ）を検出し、この情報をもとにサーチ制御部９はキャプスタンドライブ１０を介してキャプスタンモータ５の回転速度・方向を制御し、磁気テープ３の所望の位置をサーチする。ここで、コントロール信号から検出される第２のサーチ情報（Ｂs ）は、経過時間情報と頭出し情報である。
【００３１】
経過時間情報はコントロール信号をカウントすることにより得られる。コントロール信号としては、ヘリカルトラック１１のトラッキング制御を行うために一定周期のパルス信号が記録されている。例えば、ＶＨＳ−ＶＴＲの場合、コントロール信号は１／３０秒周期のパルス信号が記録されている。このようなコントロール信号のパルスをカウントすることにより、磁気テープ３上における現在位置からの経過時間を知ることができる。こうして得られた経過時間情報により、所望の時間位置まで磁気テープ３が移動するようにサーチ制御部９でキャプスタンドライブ１０を制御し、経過時間サーチを行う。
【００３２】
頭出し情報は、変調されたコントロール信号を検出することにより得られる。これは、現行のＶＨＳ方式のＶＴＲのサーチ（ＶＩＳＳ・ＶＡＳＳ）で用いられている方法と同一である。通常、コントロール信号のハイ・ローのデューティー比は一定である。頭出し情報を記録する場合、磁気テープ３の頭出しを行いたい位置、例えばプログラムの先頭位置等で、記録するコントロール信号のハイ・ローのデューティー比を変化させ、コントロール信号を変調する。サーチ時にはコントロールサーチ情報検出部８は、コントロール信号が変調された位置、すなわち頭出し情報が記録された位置を検出する。そしてサーチ制御部９は、頭出し信号が検出される位置まで磁気テープ３が移動するようにキャプスタンモータ５を制御し、頭出しサーチを行う。
【００３３】
以上のように本実施の形態１によれば、１本のヘリカルトラック１１に２種類のデータＡ，Ｂを記録した場合でも、１つのデータＡについての第１のサーチ情報Ａs はサブコード領域１２に記録し、もう一方のデータＢについての第２のサーチ情報（Ｂs ）はコントロールトラック１５に記録することにより、従来の技術に比べてサブコード領域１２を増加させることなく２つのデータを独立してサーチすることができる。
【００３４】
なお、本実施の形態１では、ヘリカルトラック１１に第１のデータ領域１３と第２のデータ領域１４の２つのデータ領域を設けていたが、ヘリカルトラック１１に３つ以上のデータ領域を設けてもかまわない。ただしその場合、本実施の形態１でサーチできるデータ領域は２つに限られるため、サーチできないデータ領域ができてしまう。
【００３５】
〔実施の形態２〕
図３は本発明の実施の形態２に係る磁気記録再生方式の構成を概略的に示す概略構成図である。図３において、１は回転ドラム、２は回転ドラム１に１８０゜対向で搭載された回転ヘッドであり、互いに異なるアジマス角となっている。３は磁気テープ、５はキャプスタンモータ、６はピンチローラ、７はサブコードサーチ情報検出部、９はサーチ制御部、１０はキャプスタンドライブであり、以上の構成は実施の形態１の図１と同様である。ただし、図１におけるコントロールサーチ情報検出部８は設けられておらず、コントロールヘッド４は図示を省略している。
【００３６】
図４は本発明の実施の形態２に係る磁気記録再生方式における磁気テープの記録パターンを示す模式図である。図４において、３は磁気テープ、１１はヘリカルトラックであり、ヘリカルトラック１１にはＬアジマスとＲアジマスが交互に形成されている。２１はサブコード領域であり、ここには時間情報やプログラム情報等のサーチに必要なサーチ情報が記録されている。２２は第１のデータ領域、２３は第２のデータ領域、２４は第３のデータ領域であり、第１のデータ領域２２にはデータＡが、第２のデータ領域２３にはデータＢが、第３のデータ領域２４にはデータＣがそれぞれ記録されている。２５，２７はサーチ時における回転ヘッド２のうちのＬアジマスヘッドのスキャン軌跡、２６はＲアジマスヘッドのスキャン軌跡である。
【００３７】
以上のように構成された実施の形態２に係る磁気記録再生方式のサーチ動作について、以下に説明する。
【００３８】
ヘリカルトラック１１の一部にはサブコード領域２１が設けてあり、サブコード領域２１には時間情報やプログラム情報等のサーチ情報が記録されている。ここで、データＡに関する第１のサーチ情報をＡｓ、データＢに関する第２のサーチ情報をＢｓ、データＣに関する第３のサーチ情報をＣｓとすると、本実施の形態２ではヘリカルトラック１１が進む毎に第１のサーチ情報Ａｓ、第２のサーチ情報Ｂｓ、第３のサーチ情報Ｃｓを順番に繰り返して記録している。サブコード領域２１に記録されているサーチ情報の内容は、実施の形態１の場合と同様であるので説明は省略する。
【００３９】
サーチ時にはサブコード領域２１を回転ヘッド２がスキャンしてサブコード領域２１のデータを獲得し、サブコードサーチ情報検出部７でサーチ情報を検出する。そして、検出したサーチ情報をもとにサーチ制御部９はキャプスタンドライブ１０を介してキャプスタンモータ５の回転速度・方向を制御し、磁気テープ３の所望の位置をサーチする。
【００４０】
本実施の形態２では、サーチ速度を５倍速としている。このサーチ速度では、ヘッドスキャン毎に獲得するサーチ情報が変わる。すなわち図４に示すように、回転ヘッド２のうちのＬアジマスヘッドがスキャン軌跡２５を通過したときには、トラックＮｏ．１のデータＡに係る第１のサーチ情報Ａs が獲得できる。そして、次の回転ヘッド２のうちのＲアジマスヘッドがスキャン軌跡２６を通過したときには、トラックＮｏ．６のデータＣに係る第３のサーチ情報Ｃs が獲得でき、同様に次のＬアジマスヘッドがスキャン軌跡２７を通過したときには、トラックＮｏ．１１のデータＢに係る第２のサーチ情報Ｂs が獲得できる。したがって、ヘッドスキャン毎に、第１のサーチ情報Ａs 、第３のサーチ情報Ｃs 、第２のサーチ情報Ｂs をこの順に順次サイクリックに獲得できるので、３種類のデータＡ，Ｃ，Ｂをそれぞれ独立にサーチすることができる。このとき、個々のヘリカルトラック１１の１つずつにおいて、そのサブコード領域２１に記録されるサーチ情報はそれぞれ１種類のデータに関するものであるで、１つのサブコード領域２１の大きさは従来の技術の場合と同じであり、容量が増加することはない。
【００４１】
本実施の形態２では、１本のヘリカルトラック１１に３種類のデータＡ，Ｂ，Ｃを記録し、サーチ速度を５倍速としたが、一般に、１本のトラックにＮ種類（Ｎは自然数）のデータを記録した場合、サーチ速度をＮの倍数を除く奇数倍速とすれば、ヘッドスキャン毎に獲得するサーチ情報が変わるため、全てのデータを独立してサーチすることができる。
【００４２】
〔実施の形態３〕
本発明の実施の形態３に係る磁気記録再生方式の構成は、実施の形態２に係る図３に示したものと同様であるので、図示および説明を省略する。図５は本発明の実施の形態３に係る磁気記録再生方式における磁気テープの記録パターンを示す模式図である。図５において、実施の形態２に係る図４と同一符号は同一構成要素を示し、簡単に説明すると、３は磁気テープ、１１はヘリカルトラック、２１はサブコード領域、２２は第１のデータ領域、２３は第２のデータ領域、２４は第３のデータ領域、２５，２７は回転ヘッド２のＬアジマスヘッドのスキャン軌跡、２６はＲアジマスヘッドのスキャン軌跡である。本実施の形態３において、図４の実施の形態２の場合と異なるのは、サーチ速度を３倍速としている点である。この結果、スキャン軌跡２５，２６，２７の間隔が狭くなっている。
【００４３】
以上のように構成された実施の形態３に係る磁気記録再生方式のサーチ動作について、以下に説明する。
【００４４】
本実施の形態３における磁気記録再生方式のサーチ動作の基本的な部分は実施の形態２の場合と同様であるので、説明は省略する。実施の形態２と異なるのは、サーチ速度を３倍速としていることである。サーチ速度が３倍速の場合、図５に示すように、回転ヘッド２のうちのＬアジマスヘッドがスキャン軌跡２５を通過したときには、トラックＮｏ．１のデータＡに係る第１のサーチ情報Ａs が獲得できる。そして、次の回転ヘッド２のうちのＲアジマスヘッドがスキャン軌跡２６を通過したときには、トラックＮｏ．４の同じデータＡに係る第１のサーチ情報Ａs が獲得でき、同様に次のＬアジマスヘッドがスキャン軌跡２７を通過したときには、トラックＮｏ．７の同じデータＡに係る第１のサーチ情報Ａs が獲得できる。したがって、ヘッドスキャン毎に獲得するサーチ情報は、常にＡs となる。この場合、実施の形態２と比較して、回転ヘッド２の単位回転当たりに獲得できるサーチ情報量が多いので、よりきめ細かなサーチが可能となる。またこのとき、個々のヘリカルトラック１１の１つずつにおいて、そのサブコード領域２１に記録されるサーチ情報はそれぞれ１種類のデータに関するものであるで、実施の形態２の場合と同様に、１つのサブコード領域２１の大きさは従来の技術の場合と同じであり、容量が増加することはない。
【００４５】
本実施の形態３では、１本のヘリカルトラック１１に３種類のデータＡ，Ｂ，Ｃを記録し、サーチ速度を３倍速としたが、一般に、１本のトラックにＭ種類（Ｍは奇数）のデータを記録した場合、サーチ速度をＭの倍数となる奇数倍速とすれば、ヘッドスキャン毎に獲得するサーチ情報は常に同じ種類のデータに関するものとなるため、所望のデータに対して、よりきめ細かなサーチをすることができる。
【００４６】
〔実施の形態４〕
本発明の実施の形態４に係る磁気記録再生方式の構成は、実施の形態１に係る図１に示したものと同様であるので、図示および説明を省略する。図６は本発明の実施の形態４に係る磁気記録再生方式における磁気テープの記録パターンを示す模式図である。図６において、実施の形態２に係る図４と同一符号は同一構成要素を示し、簡単に説明すると、３は磁気テープ、１１はヘリカルトラック、２１はサブコード領域、２２は第１のデータ領域、２３は第２のデータ領域、２４は第３のデータ領域、２５，２７は回転ヘッド２のＬアジマスヘッドのスキャン軌跡、２６はＲアジマスヘッドのスキャン軌跡である。本実施の形態４において、図４の実施の形態２の場合と異なるのは、コントロールトラック１５が付加されていることと、サブコード領域２１に記録されたサーチ情報について、ヘリカルトラック１１が１つ進む毎に第１のサーチ情報Ａs 、第２のサーチ情報Ｂs を順番に繰り返して記録していることである。そして、コントロールトラック１５には、第３のデータ領域２４に記録されたデータＣに関する第３のサーチ情報（Ｃs ）が記録されている。サブコード領域２１に記録されているサーチ情報の内容は、実施の形態１の場合と同様であるで説明は省略する。コントロールトラック１５に記録されている第３のサーチ情報（Ｃs ）は経過時間情報と頭出し情報である。
【００４７】
以上のように構成された実施の形態４に係る磁気記録再生方式のサーチ動作について、以下に説明する。
【００４８】
第３のデータ領域２４に記録されたデータＣに対するサーチ時には、コントロールトラック１５をコントロールヘッド４がスキャンして、コントロールサーチ情報検出部８は再生コントロール信号からデータＣに関する第３のサーチ情報（Ｃs ）を検出し、この情報をもとにサーチ制御部９はキャプスタンドライブ１０を介してキャプスタンモータ５の回転速度・方向を制御し、磁気テープ３の所望の位置をサーチする。
【００４９】
また、第１のデータ領域２２に記録されたデータＡまたは第２のデータ領域２３に記録されたデータＢに対するサーチ時には、サブコード領域２１を回転ヘッド２がスキャンしてサブコード領域２１のデータを獲得し、サブコードサーチ情報検出部７でサーチ情報を検出する。そして、検出したサーチ情報をもとにサーチ制御部９はキャプスタンドライブ１０を介してキャプスタンモータ５の回転速度・方向を制御し、磁気テープ３の所望の位置をサーチする。
【００５０】
本実施の形態４においては、サーチ速度を５倍速としているために、ヘッドスキャン毎に獲得するサーチ情報が変わる。すなわち図６に示すように、回転ヘッド２のうちのＬアジマスヘッドがスキャン軌跡２５を通過したときには、トラックＮｏ．１のデータＡに係る第１のサーチ情報Ａs が獲得できる。そして、次の回転ヘッド２のうちのＲアジマスヘッドがスキャン軌跡２６を通過したときには、トラックＮｏ．６のデータＢに係る第２のサーチ情報Ｂs が獲得できる。同様に次の回転ヘッド２のうちのＬアジマスヘッドがスキャン軌跡２７を通過したときには、トラックＮｏ．１１のデータＡに係る第１のサーチ情報Ａs が獲得できる。したがって、ヘッドスキャン毎に、第１のサーチ情報Ａs 、第２のサーチ情報Ｂs を順次サイクリックに獲得できる。このとき、個々のヘリカルトラック１１の１つずつにおいて、そのサブコード領域２１に記録されるサーチ情報はそれぞれ１種類のデータに関するものであるで、１つのサブコード領域２１の大きさは従来の技術の場合と同じであり、容量が増加することはない。
【００５１】
さらに、実施の形態２（図４）ではヘッドスキャン３回毎に新たなサーチ情報が獲得できるのに対し、本実施の形態４ではヘッドスキャン２回毎に新たなサーチ情報が獲得できるために、よりきめ細かなサーチが可能である。
【００５２】
本実施の形態４では、１本のヘリカルトラック１１に３種類のデータＡ，Ｂ，Ｃを記録し、サーチ速度を５倍速としたが、一般に、１本のトラックにＮ1 （＝Ｎ＋１）種類（Ｎ1 ，Ｎは自然数）のデータを記録した場合、サーチ速度を（Ｎ1 −１＝Ｎ）の倍数を除く奇数倍速とすれば、ヘッドスキャン毎に獲得するサーチ情報が変わるため、全てのデータを独立してサーチすることができる。
【００５３】
なお、本実施の形態４では、サーチ速度を５倍速にしたが、サーチ速度はサブコード領域２１のデータが獲得できる速度であれば、任意でかまわない。
【００５４】
さらに、本実施の形態４では、サブコード領域２１にはサーチ情報Ａs 、Ｂsを繰り返して記録したが、サブコード領域２１にサーチ情報Ａs 、Ｂs 、Ｃs を繰り返して記録してもかまわない。この場合、コントロールトラック１５に記録するサーチ情報は、データＡ，Ｂ，Ｃのどれに関するものであってもかまわない。一般に、Ｎ個のデータ領域とＮ個のサブコード領域を設けて、Ｎ個のデータ領域の中の１つに関するサーチ情報をコントロールトラックに記録すればよい。
【００６９】
【発明の効果】
本発明に係る磁気記録再生方式によれば、１本のヘリカルトラックに複数種類のデータを記録した場合であっても、サブコード領域の容量を増やすことなく、各データのサーチを可能にするという顕著な効果が得られる。
【図面の簡単な説明】
【図１】  本発明の実施の形態１に係る磁気記録再生方式の構成を概略的に示す概略構成
図である。
【図２】  実施の形態１に係る磁気記録再生方式における磁気テープの記録パターンを示
す模式図である。
【図３】  本発明の実施の形態２に係る磁気記録再生方式の構成を概略的に示す概略構成
図である。
【図４】  実施の形態２に係る磁気記録再生方式における磁気テープの記録パターンを示
す模式図である。
【図５】  本発明の実施の形態３に係る磁気記録再生方式における磁気テープの記録パタ
ーンを示す模式図である。
【図６】  本発明の実施の形態４に係る磁気記録再生方式における磁気テープの記録パタ
ーンを示す模式図である。
【図７】  従来の技術に係る磁気記録再生方式の構成を概略的に示す概略構成図である。
【図８】  従来の技術に係る磁気記録再生方式における磁気テープの記録パターンを示す
模式図である。
【符号の説明】
１……回転ドラム
２……回転ヘッド
３……磁気テープ
４……コントロールヘッド
５……キャプスタンモータ
６……ピンチローラ
７……サブコードサーチ情報検出部
８……コントロールサーチ情報検出部
９……サーチ制御部
１０……キャプスタンドライブ
１１……ヘリカルトラック
１２……サブコード領域
１３……第１のデータ領域
１４……第２のデータ領域
１５……コントロールトラック
１６……スキャン軌跡
２１……サブコード領域
２２……第１のデータ領域
２３……第２のデータ領域
２４……第３のデータ領域
２５……Ｌアジマスヘッドのスキャン軌跡
２６……Ｒアジマスヘッドのスキャン軌跡
２７……Ｌアジマスヘッドのスキャン軌跡
【図１】
0003655010.tif 000002
【図２】
0003655010.tif 000003
【図３】
0003655010.tif 000004
【図４】
0003655010.tif 000005
【図５】
0003655010.tif 000006
【図６】
0003655010.tif 000007
【図７】
0003655010.tif 000008
【図８】
0003655010.tif 000009